(57)【要約】【課題】  録画が完了していないタイトルを含むプレイリストの再生操作を可能とする録画再生装置を提供する。【解決手段】  タイトルを録画する記録媒体と、前記記録媒体よりタイトルをプレイリストに基づいて再生する手段と、将来に再生される候補であるタイトルを録画予約時において、前記プレイリストへ登録することをこのプレイリストにタイトル毎に設けられた録画データ状況の情報を用いて行うことを特徴とする録画再生装置。  既に録画予約され、かつその録画が完了していないタイトルのプレイリストへのエントリを可能とすることを特徴とする録画再生装置。【選択図】      図４
2007172714.tif 000002
【特許請求の範囲】
【請求項１】
タイトルを録画する記録媒体と、
前記記録媒体よりタイトルをプレイリストに基づいて再生する手段と、
将来に再生される候補であるタイトルを録画予約時において、前記プレイリストへ登録することをこのプレイリストにタイトル毎に設けられた録画データ状況の情報を用いて行うことを特徴とする録画再生装置。
【請求項２】
既に録画予約され、かつその録画が完了していないタイトルのプレイリストへのエントリを可能とすることを特徴とする請求項１に記載の録画再生装置。
【請求項３】
プレイリスト再生開始の際に録画が完了していないタイトルが含まれている場合、完了していないタイトルとその状態を表示することを特徴とする請求項１または請求項２に記載の録画再生装置。
【請求項４】
プレイリスト再生開始の際に録画が完了していないタイトルが含まれている場合、再生の継続や停止、もしくはプレイリストの編集といった操作の選択画面を表示することを特徴とする請求項３に記載の録画再生装置。
【請求項５】
プレイリスト再生の際に録画が完了していないタイトルの再生順番となった場合に、完了していないタイトルとその状態を表示することを特徴とする請求項１または請求項２に記載の録画再生装置。
【請求項６】
プレイリスト再生の際に録画が完了していないタイトルの再生順番となった場合に、そのタイトルのスキップや再生の停止、もしくはプレイリストの編集といった操作の選択画面を表示することを特徴とする請求項５に記載の録画再生装置。
【発明の詳細な説明】
【技術分野】
【０００１】
この発明は、プレイリストを用いた録画再生装置に関する。
【背景技術】
【０００２】
近年ではユーザが指定したタイトルをプレイリストを用いて再生を行う録画再生装置が利用されている。この例として記録されたタイトルをプレイリストを用いて再生を行う録画再生装置の技術が知られている（例えば、特許文献１参照）。
【０００３】
しかしこの技術は、既に記録されたタイトルからのプレイリスト作成を容易化するための手法に関するものであり、まだ記録されていないタイトルを自由に扱えるものではなかった。
【特許文献１】特開２００５−２５８３４号公報
【発明の開示】
【発明が解決しようとする課題】
【０００４】
本発明は、録画が完了していないタイトルを含むプレイリストの再生操作を可能とする録画再生装置を提供することを目的とする。
【課題を解決するための手段】
【０００５】
上記の目的を達成するために、この発明においては、タイトルを録画する記録媒体と、前記記録媒体よりタイトルをプレイリストに基づいて再生する手段と、将来に再生される候補であるタイトルを録画予約時において、前記プレイリストへ登録することをこのプレイリストにタイトル毎に設けられた録画データ状況の情報を用いて行うことを特徴とする録画再生装置を提供する。
【発明の効果】
【０００６】
ユーザーが録画再生装置においてタイトルを視聴する際に、録画が完了していないタイトルを含むプレイリストの再生操作を行うことができる録画再生装置が得られる。
【発明を実施するための最良の形態】
【０００７】
以下、図面を参照しながら本発明の実施形態について説明する。
【実施例１】
【０００８】
本発明の実施例１を図１乃至図６を参照して説明する。図１は、この発明を適用したデジタルテレビジョン放送受信装置１１１の外観と、このデジタルテレビジョン放送受信装置１１１を中心として構成されるネットワークシステムの一例を概略的に示している。
【０００９】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル、液晶表示パネル等でなる平面パネル型の映像表示器１１４、スピーカ１１５、操作部１１６、リモートコントローラ１１７から送信される操作情報を受ける受光部１１８等が設置されている。
【００１０】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１１】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１２】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１３】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１４】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１５】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、ＰＣ（Personal Computer）１２８、ＨＤＤ内蔵のＤＶＤレコーダ１２９等の機器を接続し、これらの機器と情報伝送を行なうために使用される。
【００１６】
なお、ＰＣ１２８については、家庭内ネットワークにおいてコンテンツのサーバ装置として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１７】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００１８】
さらに、この第２のＬＡＮ端子１２２は、ハブ１２６に接続されたブロードバンドルータ１３１を介して、例えばインターネット等のネットワーク１３２に接続し、このネットワーク１３２を介してＰＣ１３３や携帯電話１３４等と情報伝送を行なうために使用される。
【００１９】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２０】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２１】
ＰＣ１２８が図１のコンテンツサーバ装置１に、またＰＣ１３３がコンテンツサーバ装置２に対応している。
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２２】
チューナ２４５ａは、制御部２６１からの制御信号により所望のチャンネルの放送信号を選局し、この選局された放送信号をＰＳＫ（Phase Shift Keying）復調器２４５ｂに出力する。
【００２３】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２４】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データ（サービス情報），電子番組ガイド（ＥＰＧ）情報，番組属性情報（番組ジャンル等），字幕情報等を制御部２６１へ出力する。
【００２５】
また、地上波放送受信用のアンテナ２４８で受信した地上デジタルテレビジョン放送信号は、入力端子２４９を介して地上デジタル放送用のチューナ２５０ａに供給される。
【００２６】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００２７】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００２８】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データや電子番組ガイド（ＥＰＧ）情報，番組属性情報（番組ジャンル等）等を制御部２６１へ出力する。
【００２９】
また、上記地上波放送受信用のアンテナ２４８で受信した地上アナログテレビジョン放送信号は、入力端子２４９を介して地上アナログ放送用のチューナ２５２ａに供給されることにより、所望のチャンネルの放送信号が選局される。そして、このチューナ２５２ａで選局された放送信号は、アナログ復調器２５２ｂに供給されてアナログの映像信号及び音声信号に復調された後、上記信号処理部２４７に出力される。
【００３０】
ここで、上記信号処理部２４７は、ＰＳＫ復調器２４５ｂ及びＯＦＤＭ復調器２５０ｂからそれぞれ供給されたデジタルの映像信号及び音声信号に対して、選択的に所定のデジタル信号処理を施し、グラフィック処理部２５４及び音声処理部２５５に出力している。
【００３１】
また、上記信号処理部２４７には、複数（図示の場合は４つ）の入力端子２５６ａ，２５６ｂ，２５６ｃ，２５６ｄが接続されている。これら入力端子２５６ａ〜２５６ｄは、それぞれ、アナログの映像信号及び音声信号を、デジタルテレビジョン放送受信装置１１１の外部から入力可能とするものである。
【００３２】
信号処理部２４７は、上記アナログ復調器２５３及び各入力端子２５６ａ〜２５６ｄからそれぞれ供給されたアナログの映像信号及び音声信号を選択的にデジタル化し、このデジタル化された映像信号及び音声信号に対して所定のデジタル信号処理を施した後、グラフィック処理部２５４及び音声処理部２５５に出力する。
【００３３】
グラフィック処理部２５４は、信号処理部２４７から供給されるデジタルの映像信号に、ＯＳＤ（On Screen Display）信号生成部２５７で生成されるＯＳＤ信号を重畳して出力する機能を有する。このグラフィック処理部２５４は、信号処理部２４７の出力映像信号と、ＯＳＤ信号生成部２５７の出力ＯＳＤ信号とを選択的に出力すること、また、両出力をそれぞれ画面の半分を構成するように組み合わせて出力することができる。
【００３４】
また、字幕放送による字幕を表示するとき、グラフィック処理部２５４は、制御部２６１からの制御信号および字幕情報に基づき、映像信号上に字幕情報を重畳する処理を行う。
【００３５】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３６】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３７】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００３８】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００３９】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送を行なうことができる。
【００４０】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送を行なうことができる。
【００４１】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送を行なうことができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４２】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送を行なうことができる。
【００４３】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送を行なうことができる。
【００４４】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送を行なうことができる。
【００４５】
ところで、この実施形態では、ＨＤＤ１２５に初期登録時のＨＤＤ１２５、ＨＤＤ１２７、ＰＣ１２８、ＤＶＤレコーダ１２９それぞれに割り当てられたストレージＩＤ（ＩＰアドレス、機器名を含む）を記述した登録ファイルを記憶保持している。
【００４６】
また、不揮発性メモリ２６１ｃに、ＨＤＤ１２５、ＨＤＤ１２７、ＰＣ１２８、ＤＶＤレコーダ１２９それぞれのストレージＩＤを記憶している。
また、制御部２６１は、この発明に係わる機能として、ＵＰｎＰを利用した（１）サーバ装置発見機能２６１ｄと、（２）ＵＰｎＰを利用したコンテンツ情報取得機能２６１ｅと、（３）コンテンツアクセス制御機能２６１ｆとを備えている。
【００４７】
（１）制御部２６１は、サーバ装置発見機能２６１ｄにより、ＵＰｎＰのディスカバリ機能を用いてネットワーク上のＵＰｎＰ対応機器を発見する。例えばサーバ装置発見機能２６１ｄは、ＵＰｎＰのディスカバリ機能を用いてＰＣ１２８を発見する。
【００４８】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、ＰＣ１２８をコントロールし、ＰＣ１２８内のＨＤＤ等に蓄積されているコンテンツをアクセスするために必要なＵＲＩ情報をＰＣ１２８から取得する。
【００４９】
（３）制御部２６１は、コンテンツアクセス制御機能２６１ｆにより、サーバ装置発見機能２６１ｄにより取得したサーバ装置のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５０】
デジタルテレビジョン放送受信装置１１１は、内部に時計２８０を有しており、時刻管理を行うことができる。
このデジタルテレビジョン放送受信装置１１１は、通常、番組のＭＰＥＧトランスポートストリームをＡＶ−ＨＤＤ１４１へ記録する。
図３は、プレイリスト制御テーブルである。録画未完の予約タイトルを含んだプレイリストテーブルへの付加情報を表現している。再生するタイトルやチャプターへのアドレスマッピングフィールドを含んだプレイリスト制御テーブルに、図３に示す録画データ状況を示す「録画データ状況フィールド」を付随させることで録画未完の予約タイトルに対するプレイリスト化を実現する。なお、この「録画データ状況フィールド」は、録画が既に完了しているタイトルやチャプターに対しては’1’が設定され、録画が未完のタイトルやチャプターに対しては’0’が設定される。プレイリスト制御テーブルは、ＲＡＭ２６１ｂに設けられていて、制御部２６１における制御を受ける。
【００５１】
図４の予約タイトルのプレイリスト化操作フローを用いて、録画が完了していないタイトルのプレイリスト化を行う操作フローを説明する。
１：まず、録画予約タイトルの一覧表示を行う。
２：プレイリスト化したい予約タイトルがあれば、そのタイトルを選択する。
プレイリスト化したいタイトルがまだ予約されていなければ、そのタイトルの録画予約を行ってから、そのタイトルを選択する。
３：選択したタイトルに対してプレイリスト化を行う要求を行う。これは録画予約タイトルの一覧画面中におけるプレイリスト要求フィールドを選択して行ったり、操作ボタンを用いて行ったりすることが可能である。
【００５２】
４：上記３の操作にて録画予約されているタイトルの新規プレイリスト化が要求された場合は、新規プレイリスト作成の操作画面となり、プレイリスト名等のプレイリストに必要な情報を入力し、録画予約しているタイトルのプレイリスト化を完了する。
【００５３】
また、上記３の操作にて録画予約されているタイトルの既存プレイリストへの挿入が要求された場合は、既存プレイリストの選択画面となり、選択したプレイリストにおいて挿入すべきタイトル位置もしくはチャプター位置を選択決定し、録画予約しているタイトルのプレイリスト化を完了する。
【００５４】
なお、上記新規プレイリスト作成や既存プレイリスト作成で生成される図３のプレイリスト制御テーブルは、録画予約タイトルに対して「録画データ状況フィールド」は’0’と設定される。
【００５５】
図４の録画データ状況フィールドの更新において作成されたプレイリストの「録画データ状況フィールド」は、そのタイトルの予約状況を管理しているテーブルからもマッピングマッピングされ、予約タイトルが録画済みとなると、予約状況を管理しているソフトウェアにて「録画データ状況フィールド」の’1’への更新が行われる。
【００５６】
図５は図３で示した「録画データ状況フィールド」を扱ったプレイリスト再生開始におけるソフトウェア処理フローを示す。
１：プレイリスト再生開始時においてプレイリストテーブル内において録画データ状況フィールドが’0’であるラインが存在しないことを検知すると、プレイリストで指定される全てのタイトルやチャプターは録画済データとして存在しているとして、アドレスマッピングフィールドにしたがって、タイトルやチャプターの再生を実行する。
【００５７】
２：プレイリスト再生開始時においてプレイリストテーブル内において録画データ状況フィールドが’0’であるラインが１つ以上存在することを検知すると、録画完了していないタイトル(もしくはチャプター)名とその状態(録画待ち/録画中/録画失敗/etc.)を表示する。
【００５８】
３：プレイリスト再生の継続や停止、もしくはプレイリストの編集といった操作の選択画面を表示し、指定された処理を行う。
図６は図１で示した「録画データ状況フィールド」を扱ったプレイリスト再生の際に、次に再生すべきタイトルやチャプターが録画未完であった場合のソフトウェア処理フローを示す。
【００５９】
１：プレイリスト制御テーブルに従った順番でタイトルやチャプター再生を行う際に、録画データ状況フィールドを確認する。
２：録画データ状況フィールドが’1’の場合はプレイリスト制御テーブルのアドレスマッピングフィールドにしたがって、タイトルやチャプターの再生を実行する。
３：録画データ状況フィールドが’0’の場合は録画完了していないタイトル(もしくはチャプター)の順番になったことを示し、その未完のタイトル(もしくはチャプター)名とその状態(録画待ち/録画中/録画失敗/etc.)を表示する。
【００６０】
４：未完タイトルのスキップやプレイリスト再生の停止、もしくはプレイリストの編集といった操作の選択画面を表示し、指定された処理を行う。
以上の実施例により、録画予約の際に予めプレイリスト化しておくことを可能とすることで、プレイリストの活用性(有効性)を高める。また、録画が完了していないタイトルを含むプレイリストの再生操作を可能とすることで、プレイリストの活用性(有効性)を高める。
【図面の簡単な説明】
【００６１】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】プレイリスト制御テーブル。
【図４】予約タイトルのプレイリスト化操作フロー。
【図５】プレイリスト再生におけるソフトウェア処理フロー１。
【図６】プレイリスト再生におけるソフトウェア処理フロー２。
【符号の説明】
【００６２】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…ＰＣ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ、２６１…制御部、２６１ｂ…ＲＡＭ。
【図１】
2007172714.tif 000003
【図２】
2007172714.tif 000004
【図３】
2007172714.tif 000005
【図４】
2007172714.tif 000006
【図５】
2007172714.tif 000007
【図６】
2007172714.tif 000008